(57)【要約】【課題】繰り返し着脱して使用する記録メディアを、振動衝撃や機器外部から伝わる衝撃から保護するとともに、記録メディアの着脱操作性の向上と、記録メディアと機器との接続信頼性の向上を図ることができる電子機器を提供する。【解決手段】発明の電子機器は、着脱可能な記録メディア１２を装着する記録メディア装着部１１を備える。記録メディア装着部１１は、記録メディア１２に記録可能な状態においては、緩衝部材２２により電子機器本体１に浮遊支持される。また、記録メディア１２が着脱可能な状態においては、電子機器本体１に固定支持される。【選択図】図７
2008226379.tif 000002
【特許請求の範囲】
【請求項１】
着脱可能な記録メディアを装着する装着部を備えた電子機器において、
前記装着部を電子機器本体に対して浮遊支持する状態と、前記装着部を前記電子機器本体に対して固定支持する状態とで、前記装着部を前記電子機器本体に支持する支持手段と、
前記電子機器が前記記録メディアに記録可能な状態にある場合には、前記装着部を前記電子機器本体に対して浮遊支持する状態に切り換えるとともに、前記記録メディアを前記電子機器から着脱可能な状態にある場合には、前記装着部を前記電子機器本体に対して固定支持する状態に切り換える切り換え手段とを有することを特徴とする電子機器。
【請求項２】
着脱可能な記録メディアを装着する装着部を備えた電子機器において、
前記装着部を電子機器本体に対して浮遊支持する状態と、前記装着部を前記電子機器本体に対して固定支持する状態とで、前記装着部を前記電子機器本体に支持する支持手段と、
前記装着部を閉鎖する状態と、前記装着部を開放する状態にする蓋部材と、
前記蓋部材が前記装着部を閉鎖する状態にある場合には、前記装着部を前記電子機器本体に対して浮遊支持する状態に切り換えるとともに、前記蓋部材が前記装着部を開放する状態にある場合には、前記装着部を前記電子機器本体に対して固定支持する状態に切り換える切り換え手段とを有することを特徴とする電子機器。
【請求項３】
前記支持手段は、前記装着部と前記電子機器本体との間に緩衝部材を介在させて前記装着部を支持するとともに、前記緩衝部材が機能しないように前記装着部を前記電子機器本体に固定することを特徴とする請求項１または２記載の電子機器。
【請求項４】
着脱可能な記録メディアを装着する装着部を備えた電子機器において、
緩衝部材を介在させて前記装着部を電子機器本体に支持する支持手段と、
前記装着部を閉鎖する状態と、前記装着部を開放する状態にする蓋部材と、
前記蓋部材が前記装着部を開放する動作に連動して、前記装着部に係合して前記緩衝部材が機能しないように前記装着部を前記電子機器本体に固定する固定部材とを有することを特徴とする電子機器。
【発明の詳細な説明】
【技術分野】
【０００１】
本発明は、繰り返し着脱して使用する記録メディア等の記録メディアを接続・保持する記録メディア接続装置を搭載するデジタルカメラ等の電子機器に関する。
【背景技術】
【０００２】
近年、携帯型音楽プレイヤーやデジタルカメラ等の小型携帯電子機器においては、その利便性の観点から、繰り返し着脱可能なカード型記録メディアが一般的に用いられている。
【０００３】
これら小型携帯電子機器用の記録メディアは、小型軽量の必要性があるため、一般的には半導体メモリが用いられている。しかし、機器の性能向上のため、記録する情報量は著しく増加し、搭載される記録メディアの大容量化が要望されている。
【０００４】
デジタルカメラを例に取ると、固体撮像素子等のイメージセンサの高画素化の進歩は著しく、半導体メモリでは、充分な情報量のデータが記録できなくなってきている。
【０００５】
これを解決する記録メディアとして、メモリカード型の大きさ、規格でありながら、磁気ディスクを内蔵した記録メディアいわゆるマイクロドライブと称されるディスク型記録メディアが使われ始めている。半導体メモリと比較し大容量のデータが記録できるメリットがある。
【０００６】
ディスク型記録メディアは、高速回転されたハードディスクに記録された磁気信号を磁気ヘッドで読み取るものである。即ち、ハードディスクも磁気ヘッドも稼動した状態で、データの書き込みや読み出しを行うため、周囲の衝撃や振動の影響を受けやすいというデメリットがある。
【０００７】
特に、デジタルカメラでは、シャッター装置、クイックリターンミラー、これらのチャージ装置、レンズの絞り駆動装置等、撮影のための駆動機構を多数搭載しており、撮影中、これらの装置から発せられる振動や衝撃が記録媒体へと伝播してしまう。
【０００８】
そのため、上述のようなディスク型記録メディアを使用する場合は、記録動作中に書き込み不良を生じてしまう。特に、デジタル一眼レフカメラの場合、撮影動作が連続的になり、記録メディアへの書き込み動作も同時に並行して行われるので、書き込み動作中は、常時、上述の振動、衝撃に晒されることになり、書き込み不良が頻発する原因となっている。
【０００９】
書き込み不良の現象としては、撮影が中断しその後のシャッターチャンスを逃したり、中断したまま撮影ができなくなったり、あるいは、撮ったはずの画像が記録されないなどの現象があり、致命的なものになっている。
【００１０】
ディスク型記録メディアを振動、衝撃から保護するための一般的な技術として、ハードディスク装置を緩衝部材等の衝撃吸収手段を用いて浮遊保持し、機器に加わる衝撃から保護するものがある。また、振動、衝撃が加わったときには、データの記録を中止するようにしている例もある。
【００１１】
しかし、繰り返し記録メディアを着脱して使用するような機器においては、ハードディスク装置が浮遊支持されているがために、記録メディアの装着時にぐらついてしまい、正確に装着できなかったり、接続コネクタを損傷させる不具合も生じてしまう。
【００１２】
また、振動、衝撃を検知するたびに、データの記録を中止してしまうことになると、実際には使用感の極めて悪い機器になってしまう。
【００１３】
このような背景から、加速度センサを用い、衝撃の程度を検出し、所定値以上の衝撃が検出された場合は、プランジャ等の装置を発動し、ハードディスク装置を固定保持から浮遊保持へ切り換える技術が提案されている（例えば、特許文献１参照）。
【００１４】
また、ケース内にハードディスクを浮遊状保持させたハードディスク装置が、機器本体から取り出された場合は、当該装置を浮遊保持し、機器本体に装着された場合は、機器本体に対し固定保持する技術も提案されている（例えば、特許文献２参照）。
【特許文献１】特開２００４−３１０８２１号公報
【特許文献２】特開２００５−０１１４７４号公報
【発明の開示】
【発明が解決しようとする課題】
【００１５】
しかしながら、特許文献１によれば、プランジャ等の装置が必要になり、機器自体が大型化するためデジタルカメラ等の小型携帯機器には相応しくない。また、記録メディアの着脱を頻繁に繰り返して使用する機器に対する考慮はされていない。
【００１６】
また、特許文献２記載の技術は、記録メディアが機器本体に装着されている状態において、機器内部の様々な駆動源から発せられる振動、衝撃から記録メディアを保護するものではない。また、記録メディア着脱時の操作性の向上や確実な接続信頼性を図るものでもない。
【００１７】
本発明の目的は、繰り返し着脱して使用する記録メディアを、振動衝撃や機器外部から伝わる衝撃から保護するとともに、記録メディアの着脱操作性の向上と、記録メディアと機器との接続信頼性の向上を図ることができる電子機器を提供することにある。また、本発明の目的は、同様のデジタルカメラを提供することにある。
【課題を解決するための手段】
【００１８】
上記目的を達成するために、請求項１記載の電子機器は、着脱可能な記録メディアを装着する装着部を備えた電子機器において、前記装着部を電子機器本体に対して浮遊支持する状態と、前記装着部を前記電子機器本体に対して固定支持する状態とで、前記装着部を前記電子機器本体に支持する支持手段と、前記電子機器が前記記録メディアに記録可能な状態にある場合には、前記装着部を前記電子機器本体に対して浮遊支持する状態に切り換えるとともに、前記記録メディアを前記電子機器から着脱可能な状態にある場合には、前記装着部を前記電子機器本体に対して固定支持する状態に切り換える切り換え手段とを有することを特徴とする。
【００１９】
請求項２記載の電子機器は、着脱可能な記録メディアを装着する装着部を備えた電子機器において、前記装着部を電子機器本体に対して浮遊支持する状態と、前記装着部を前記電子機器本体に対して固定支持する状態とで、前記装着部を前記電子機器本体に支持する支持手段と、前記装着部を閉鎖する状態と、前記装着部を開放する状態にする蓋部材と、
前記蓋部材が前記装着部を閉鎖する状態にある場合には、前記装着部を前記電子機器本体に対して浮遊支持する状態に切り換えるとともに、前記蓋部材が前記装着部を開放する状態にある場合には、前記装着部を前記電子機器本体に対して固定支持する状態に切り換える切り換え手段とを有することを特徴とする。
【００２０】
請求項４記載の電子機器は、着脱可能な記録メディアを装着する装着部を備えた電子機器において、緩衝部材を介在させて前記装着部を電子機器本体に支持する支持手段と、前記装着部を閉鎖する状態と、前記装着部を開放する状態にする蓋部材と、前記蓋部材が前記装着部を開放する動作に連動して、前記装着部に係合して前記緩衝部材が機能しないように前記装着部を前記電子機器本体に固定する固定部材とを有することを特徴とする。
【発明の効果】
【００２１】
本発明の電子機器は、繰り返し着脱して使用する記録メディアを、振動衝撃や機器外部から伝わる衝撃から保護するとともに、記録メディアの着脱操作性の向上と、記録メディアと機器との接続信頼性の向上を図ることができる。
【発明を実施するための最良の形態】
【００２２】
以下、本発明の実施の形態を図面を参照しながら詳細に説明する。
【００２３】
図１は、本発明の実施の形態に係る電子機器としてのデジタル一眼レフカメラを上面から見たときの主要部品の配置図、図２は、図１のデジタル一眼レフカメラの背面図、図３は、図１のデジタル一眼レフカメラを側面から見たときの主要部品の配置図である。
【００２４】
これらの図において、電子機器本体としてのデジタル一眼レフカメラ本体（以降、カメラ本体と略称す）１、ファンクション設定ダイヤル１ａ、各種メニューの設定釦１ｂ、１ｃ、着脱可能な交換レンズ２、撮影レンズ２ａ、背面モニター３、接眼レンズ４が示される。
【００２５】
また、撮像素子５、シャッター装置６、シャッター駆動部６ａ、シャッター羽根６ｂ、クイックリターンミラー装置７、ミラー駆動部７ａ、クイックリターンミラー７ｂが示される。
【００２６】
図３において、クイックリターンミラー７ｂは、実線のダウン位置と二点鎖線のアップ位置とに変移する。ファインダー観察中は、クイックリターンミラー７ｂはダウン位置になっており、撮影レンズ２ａを通った撮影光は、当該ミラーで反射され、ピント板３４に投影された後、ペンタプリズム３５を通り、接眼レンズ４へと導かれる。
【００２７】
一方、撮影時にはクイックリターンミラー７ｂは、ダウン位置からアップ位置へと上昇し、シャッター羽根６ｂが開き、撮影光は撮像素子５へと導かれ、不図示の画像処理手段により背面モニター３に撮影画像が映し出される。
【００２８】
チャージ装置８は、クイックリターンミラー装置７、シャッター装置６をチャージする。メインシャーシ９は、カメラ本体１の一部を構成している。外装ボディ１０もカメラ本体１の一部を構成している。
【００２９】
記録メディア装着部１１は、メインシャーシ９に浮遊支持されている。記録メディア装着部１１については後述する。繰り返し着脱可能な記録メディア１２は、記録メディア装着部１１に装着されている。蓋部材である開閉蓋１３は、記録メディア装着部１１をカメラ外部から保護している。
【００３０】
指掛かり１３ａは開閉蓋を開けるためのものである。ロック部材１４は、開閉蓋１３を不用意に開かないようロックしている。固定部材である固定レバー１５は後述する。地板１６は固定レバー１５を支持するものであり、カメラ本体１に固定されている。蓋開閉検知センサ１７は、開閉蓋１３の開閉状態を検出するためのフォトセンサである。
【００３１】
図４は、図１における記録メディア接続装置の上面図、図５は、図１における記録メディア接続装置の側面図である。
【００３２】
次に、図４、図５を用いて、本発明に用いる記録メディア装着部１１について説明する。
【００３３】
記録メディア装着部１１は、ＣＦカード装着用の接続保持装置（カードスロット）であり、通常のＣＦカードの他、マイクロドライブ等の磁気ディスク型記録メディアも装着可能な規格になっている。
【００３４】
記録メディア装着部１１の外装ケース１１ａ、支持腕部２１ａ、２１ｂ、２１ｃが示される。支持腕部２１ａ、２１ｂ、２１ｃは外装ケース１１ａから延出されている。支持腕部２１ａ、２１ｂ、２１ｃにはそれぞれ低反発性の弾性部材からなる緩衝部材２２ａ、２２ｂ、２２ｃが嵌め込まれている。
【００３５】
緩衝部材２２ａ、２２ｂ、２２ｃは、軟質ウレタンフォーム等の低反発弾性材料から構成されている。接続端子２３は、ハウジング２３ａに挿入され固定されている。第一の係止部２４ａ、２４ｂは、外装ケース１１ａの上面部と下面部にそれぞれ植設された係止ピンである。
【００３６】
イジェクタ２５、イジェクタ釦２５ａ、イジェクタ操作レバー２５ｂ、イジェクタ駆動レバー２５ｃ、支持ピン２５ｄ、アクチュエータ２５ｅが示される。イジェクタ駆動レバー２５ｃは、支持ピン２５ｄにより回転可能に軸支されている。
【００３７】
図４において、イジェクタ釦２５ａが右側に押されると、イジェクタ操作レバー２５ｂが右にスライドし、イジェクタ駆動レバー２５ｃを支持ピン２５ｄ周りに回転させ、アクチュエータ２５ｅを図中左側へ移動させる。この動作により、記録メディア１２が記録メディア装着部１１から取り外される。第二の係止部２６は、外装ケース１１ａの裏面側に植設された固定ピンである。
【００３８】
図６は、図１における拘束手段の外観斜視図である。
【００３９】
次に、図６を用いて前述の固定レバー１５について詳述する。固定レバー１５は、上部爪板１５ａ、下部爪板１５ｂの２枚の爪板が互いに向かい合う形状をなし、連結部１５ｃで繋げられている。
【００４０】
上部爪板１５ａにはセクターギア１５ｄが設けられている。回転軸穴１５ｅ、１５ｆは、上部爪板１５ａ、下部爪板１５ｂのそれぞれに同軸で設けられている。係止溝１５ｇ、１５ｈは、上部爪板１５ａ、下部爪板１５ｂのそれぞれに同位相で設けられている。カム溝１５ｇ、１５ｈには、カム面１５ｉ、１５ｊが形成されており、記録メディア装着部１１の第一の係止部２４ａ、２４ｂと当接する。
【００４１】
図７は、図１における記録メディア接続装置の浮遊支持状態を説明する図である。
【００４２】
次に、図７を用いて、記録メディア装着部１１のカメラ本体１内の配置について説明する。
【００４３】
メインシャーシ９には、位置規制ピン９ａ、９ｂと係止穴９ｃが設けられている。開閉蓋１３には、開閉時の回転中心にヒンジ軸１３ｃが嵌挿されている。更に、開閉蓋１３には、ヒンジ軸１３ｃを同心としてギヤ１３ｂが形成されている。
【００４４】
アイドラー３１には、回転軸３１ａとギヤ３１ｂが設けられ、一方でギヤ１３ｂと噛み合い、他方で係止手段のセクターギア１５ｄと噛み合っている。段ビス３２ａ、３２ｂ、３２ｃは、記録メディア装着部１１を取り付けるためのものであり、緩衝部材２２ａ、２２ｂ、２２ｃの中央部に開けられた開口部を貫通してメインシャーシ９に螺子止めされている。
【００４５】
このように、記録メディア装着部１１は、支持腕部２１ａ、２１ｂ、２１ｃが、緩衝部材２２ａ、２２ｂ、２２ｃを介在して、段ビス３２ａ、３２ｂ、３２ｃに間接的に係合されている。そのため、記録メディア装着部１１は、メインシャーシ９に伝播する振動や衝撃を直接伝えないよう浮遊支持されている。
【００４６】
また、接続端子２３は、フレキシブルプリント基板３３と接続されており、記録メディア装着部１１の動きに追従し撓むことが可能である。
【００４７】
図７に示すように、開閉蓋１３が閉鎖した状態で、固定レバー１５は第一の係止部２４ａ、２４ｂから離れた位置に退避しており、記録メディア装着部１１は浮遊支持状態になっている。すなわち、記録メディア１２に対して記録可能な状態で、記録メディア装着部１１は浮遊支持状態になっている。
【００４８】
図８は、図１における記録メディア接続装置の固定支持状態を説明する図である。
【００４９】
次に、図８を用いて開閉蓋１３の開閉動作に連動した記録メディア装着部１１の支持の切り替えについて説明する。
【００５０】
開閉蓋１３が閉鎖した位置、即ち、図中二点鎖線の状態においては、記録メディア接続装置は、図７で説明したように浮遊支持状態になっている。デジタル一眼レフカメラはこの状態において、記録状態または、記録可能な状態となっている。この状態から、記録メディア１２の取り付け、取り外しを行う場合について説明する。
【００５１】
まず、ロック部材１４を、図中上方へスライドさせ開閉蓋１３のロックを解除する。次に、開閉蓋１３の指掛かり１３ａに指を掛け、閉じた状態（二点鎖線の位置）からヒンジ軸１３ｃを中心に反時計回り方向に回転させると、開閉蓋１３が開放する状態となる。このとき、アイドラー３１は時計回り方向に回転し、固定レバー１５は反時計回り方向に回転する。
【００５２】
更に、固定レバー１５は反時計回り方向に回転し、係止溝１５ｇ、１５ｈが記録メディア装着部１１に設けられた第一の係止部２４ａ、２４ｂと係合し、浮遊支持されている記録メディア装着部１１を紙面の表裏方向に対して拘束する。
【００５３】
更に、開閉蓋１３を完全に開放した状態（実線の位置）にすると、固定レバー１５が更に回転し第二の位置まで移動する。
【００５４】
このとき、第一の係止部２４ａ、２４ｂは、係止溝１５ｇ、１５ｈに形成されたカム面１５ｉ、１５ｊにより図中上方へ押し上げられ、記録メディア装着部１１は、緩衝部材２２ａ、２２ｂ、２２ｃを変形させながら上方へ押し上げられる。
【００５５】
更に、第二の係止部２６がメインシャーシ９の係止穴９ｃに挿入され、記録メディア装着部１１は、位置規制ピン９ａ、９ｂに当接し全方向に対して位置規制され、固定支持状態となる。このような動作によって、記録メディア装着部１１は浮遊支持状態から固定支持状態に切り換えられる。固定支持状態では緩衝部材２２ａ、２２ｂ、２２ｃは緩衝機能を果たさない。
【００５６】
尚、開閉蓋１３を閉じる動作の説明は省略するが、上述説明の逆の順序で動作し、記録メディア装着部１１は、固定支持状態から浮遊支持状態へと切り換わる。
【００５７】
また、蓋開閉検知センサ１７が開閉蓋１３の開状態を検出すると、カメラ本体１の撮影動作は禁止され、記録メディア１２への書き込み、読み出しも禁止され、不作動状態になる。蓋開閉検知センサ１７が開閉蓋１３の閉状態を検出すると、カメラ本体１は撮影動作を許可し、記録メディア１２への書き込み、読み出しも可能な作動可能な状態になる。
【００５８】
ところで、カメラ本体１が動作中、撮影動作のために様々なユニットから振動、衝撃が発生する。
【００５９】
例えば、一回の撮影動作において、少なくともクイックリターンミラー７ｂの上昇（図３中二点鎖線位置）と下降（図３中実線位置）、シャッター羽根６ｂの走行、クイックリターンミラー装置７とシャッター装置のチャージ動作が行われる。そのため、大きな振動、衝撃が発生する。連続撮影の場合は、これらの振動、衝撃が連続的に発生する。
【００６０】
しかし、撮影動作中、記録メディア装着部１１はメインシャーシ９に対して緩衝部材２２（２２ａ、２２ｂ、２２ｃ）により浮遊支持されているので、これらの振動、衝撃により発生する加速度は減衰され。そして、記録メディア１２への画像データの書き込みは良好に行われる。
【図面の簡単な説明】
【００６１】
【図１】本発明の実施の形態に係る電子機器としてのデジタル一眼レフカメラを上面から見たときの主要部品の配置図である。
【図２】図１のデジタル一眼レフカメラの背面図である。
【図３】図１のデジタル一眼レフカメラを側面から見たときの主要部品の配置図である。
【図４】図１における記録メディア接続装置の上面図である。
【図５】図１における記録メディア接続装置の側面図である。
【図６】図１における拘束手段の外観斜視図である。
【図７】図１における記録メディア接続装置の浮遊支持状態を説明する図である。
【図８】図１における記録メディア接続装置の固定支持状態を説明する図である。
【符号の説明】
【００６２】
１  デジタル一眼レフカメラ本体
２  交換レンズ
３  背面モニター
４  接眼レンズ
５  撮像素子
６  シャッター装置
７  クイックリターンミラー装置
８  チャージ装置
９  メインシャーシ
１０  外装ボディ
１１  記録メディア接続装置
１２  記録メディア
１３  開閉蓋
１４  ロック部材
１５  拘束手段
１６  地板
１７  蓋開閉検知センサ
２１  支持腕部（２１ａ、２１ｂ、２１ｃ）
２２  緩衝部材（２２ａ、２２ｂ、２２ｃ）
２３  接続端子
２４  第一の係止部（２４ａ、２４ｂ）
２５  イジェクタ
２６  第二の係止部
３１  アイドラー
３２  段ビス
３３  フレキシブルプリント基板
３４  ピント板
３５  ペンタプリズム
【図１】
2008226379.tif 000003
【図２】
2008226379.tif 000004
【図３】
2008226379.tif 000005
【図４】
2008226379.tif 000006
【図５】
2008226379.tif 000007
【図６】
2008226379.tif 000008
【図７】
2008226379.tif 000009
【図８】
2008226379.tif 000010